(57)【要約】【課題】各居室の住人に対して住人宛のメッセージを表示すると共に、一般の来客に対しても来客宛のメッセージを表示する。【解決手段】集合玄関に設置され認証媒体１０を認証処理して、または居住者を識別してオートドア解錠を行なうための個人認証装置２を有し通話のためのマイクロフォン１１、スピーカ１３、居室呼出のためのテンキーボタン１５、メッセージ表示のためのメッセージ表示ユニット１７、来客を感知するための人体感知センサ１９を備える集合玄関機１をインターホン制御機４を介して各居室に設置された居室親機７ａ、７ｂ、・・・および管理室に設置された管理室親機８または管理用パーソナルコンピュータ９に接続し、個人認証装置は、認証制御機５を介してインターホン制御機に接続され、認証制御機は、オートドア制御機６を経由してオートドア３に接続され、集合玄関機は、人体感知センサが来客を感知したことを起動信号として予めメモリ回路に記録された来客向けの特定メッセージをタイマ回路の時刻に基づいて選択し、メッセージ表示ユニットに表示する。【選択図】  図１
2004304557.tif 000002
【特許請求の範囲】
【請求項１】
集合玄関に設置され認証媒体（１０）を認証処理して、または居住者を識別してオートドア解錠を行なうための個人認証装置（２）を有し通話のためのマイクロフォン（１１）、スピーカ（１３）、居室呼出のためのテンキーボタン（１５）、メッセージ表示のためのメッセージ表示ユニット（１７）、来客を感知するための人体感知センサ（１９）を備える集合玄関機（１）をインターホン制御機（４）を介して各居室に設置された居室親機（７ａ、７ｂ、・・・）および管理室に設置された管理室親機（８）および／または管理用パーソナルコンピュータ（９）に接続し、
前記個人認証装置は、認証制御機（５）を介して前記インターホン制御機に接続され、
前記認証制御機は、オートドア制御機（６）を経由してオートドア（３）に接続され、
前記集合玄関機は、前記人体感知センサが来客を感知したことを起動信号として予めメモリ回路（２１ａ）に記録された来客向けの特定メッセージをタイマ回路（２１ｂ）の時刻に基づいて選択し、前記メッセージ表示ユニットに表示するためのＣＰＵ回路（２１）を備えたことを特徴とする集合住宅インターホンシステム。
【請求項２】
前記集合玄関機は、前記人体感知センサが来客を感知したことを起動信号として予め前記メモリ回路に記録された来客向けの特定メッセージを前記タイマ回路の時刻に基づいて選択し、音声合成回路（２２）、ミキシング回路（２３）およびスピーカアンプ（１４）を介して前記スピーカに出力することを特徴とする請求項１記載の集合住宅インターホンシステム。
【請求項３】
各居室の住人が前記認証媒体で解錠操作を行った場合、当該居室の前記居室親機において予め設定されている防犯警戒等の状態を前記集合玄関機の前記メッセージ表示ユニットに表示することを特徴とする請求項１または請求項２記載の集合住宅インターホンシステム。
【請求項４】
各居室の住人が前記認証媒体で解錠操作を行った場合、当該居室の前記居室親機において予め設定されている防犯センサ（７１ａ、７１ｂ、…）等の状態を前記集合玄関機の前記スピーカより出力することを特徴とする請求項１乃至請求項３何れか１項記載の集合住宅インターホンシステム。
【請求項５】
前記集合玄関機の前記メッセージ表示ユニットに表示する特定メッセージまたは前記スピーカより出力する特定メッセージの内容を前記管理用パーソナルコンピュータまたは前記管理室親機より予め設定入力できることを特徴とする請求項１乃至請求項４何れか１項記載の集合住宅インターホンシステム。
【請求項６】
前記集合玄関機の前記メッセージ表示ユニットに表示する特定メッセージまたは前記スピーカより出力する特定メッセージを出力する時間帯を前記管理用パーソナルコンピュータまたは前記管理室親機より予め設定入力できることを特徴とする請求項１乃至請求項５何れか１項記載の集合住宅インターホンシステム。
【発明の詳細な説明】
【０００１】
【発明の属する技術分野】
本発明は、集合住宅インターホンシステムに係わり、特に非接触カードリーダ装置や指紋読取装置等の個人認証装置を備えた集合住宅インターホンシステムに関する。
【０００２】
【従来の技術】
従来から、この種の集合住宅インターホンシステムとして、来客が集合玄関機から呼び出したい居室番号をキー入力し、居室呼び出しを行なって住人が在宅の場合、居室親機のハンドセットアップにより通話状態に入る集合住宅インターホンシステムにおいて、来客が集合玄関機から呼び出したい居室番号をキー入力し、居室呼び出しを行なったとき住人が留守の場合、集合玄関機の表示画面に来客の連絡先の入力を求めるメッセージを表示させ、連絡先をキー入力し、集合玄関機の登録ボタンを押すことにより、その内容をメモリに格納し、居室親機に来客からの連絡先メッセージがあったことをメッセージ表示灯が点滅することにより知らせ、住人が帰宅後、メッセージ読出ボタンを押すことにより居室親機の表示画面に来客の連絡先を表示させるような構成のものが知られている（例えば、特許文献１参照）。
【０００３】
このような構成の集合住宅インターホンシステムによれば、来客は呼出時において呼び出した居室の住人が留守の場合には、集合玄関機に設けられる表示画面に出力表示される留守を示すメッセージにより容易に確認することができると共に、その確認時に電話番号等の連絡先を入力し記憶させることができる上、留守時に呼び出された居室の住人は、帰宅時において居室親機に設けられるメッセージ表示灯の点滅により留守時において来客の呼び出しおよびその連絡先の存在を容易に確認することができ、読出操作により記憶されていた電話番号等の連絡先を出力表示させ確認することができることから、帰宅時の住人に留守時に来客があったこと報知することができる。
【０００４】
【特許文献１】特開平１１−３４１１６９号公報  （段落番号「００１２」〜「００２２」、図１〜図３）
【０００５】
【発明が解決しようとする課題】
しかしながら、このような構成の集合住宅インターホンシステムにおいては、各居室の住人に対して住人宛のメッセージを表示することができるものの、一般の来客に対して来客宛のメッセージを表示することができないという難点があった。
【０００６】
本発明は、このような難点を解決するためになされたもので、各居室の住人に対して住人宛のメッセージを表示すると共に、一般の来客に対しても来客宛のメッセージを表示することができる集合住宅インターホンシステムを提供することを目的としている。
【０００７】
【課題を解決するための手段】
このような目的を達成するため、本発明の集合住宅インターホンシステムは、集合玄関に設置され認証媒体を認証処理して、または居住者を識別してオートドア解錠を行なうための個人認証装置を有し通話のためのマイクロフォン、スピーカ、居室呼出のためのテンキーボタン、メッセージ表示のためのメッセージ表示ユニット、来客を感知するための人体感知センサを備える集合玄関機をインターホン制御機を介して各居室に設置された居室親機および管理室に設置された管理室親機および／または管理用パーソナルコンピュータに接続し、個人認証装置は、認証制御機を介してインターホン制御機に接続され、認証制御機は、オートドア制御機を経由してオートドアに接続され、集合玄関機は、人体感知センサが来客を感知したことを起動信号として予めメモリ回路に記録された来客向けの特定メッセージをタイマ回路の時刻に基づいて選択し、メッセージ表示ユニットに表示するためのＣＰＵ回路（２１）を備えている。
【０００８】
また、本発明の集合住宅インターホンシステムにおける集合玄関機は、人体感知センサが来客を感知したことを起動信号として予めメモリ回路に記録された来客向けの特定メッセージをタイマ回路の時刻に基づいて選択し、音声合成回路、ミキシング回路およびスピーカアンプを介してスピーカに出力するように構成されている。
【０００９】
また、本発明の集合住宅インターホンシステムは、各居室の住人が認証媒体で解錠操作を行った場合、当該居室の居室親機において予め設定されている防犯警戒等の状態を集合玄関機の前記メッセージ表示ユニットに表示するように構成されている。
【００１０】
また、本発明の集合住宅インターホンシステムは、各居室の住人が認証媒体で解錠操作を行った場合、居室の前記居室親機において予め設定されている防犯センサ等の状態を集合玄関機のスピーカより出力するように構成されている。
【００１１】
また、本発明の集合住宅インターホンシステムは、集合玄関機のメッセージ表示ユニットに表示する特定メッセージまたはスピーカより出力する特定メッセージの内容を管理用パーソナルコンピュータまたは管理室親機より予め設定入力できるように構成されている。
【００１２】
また、本発明の集合住宅インターホンシステムは、集合玄関機のメッセージ表示ユニットに表示する特定メッセージまたはスピーカより出力する特定メッセージを出力する時間帯を管理用パーソナルコンピュータまたは管理室親機より予め設定入力できるように構成されている。
【００１３】
本発明の集合住宅インターホンシステムによれば、管理室親機または管理用パーソナルコンピュータから入力した特定メッセージデータを集合玄関機のＣＰＵ回路に内蔵させたメモリ回路に記録することができることから、人体感知センサで来客の接近を感知した場合にメッセージ表示ユニットに来客向けの特定メッセージを表示することができる。
【００１４】
【発明の実施の形態】
以下、本発明の集合住宅インターホンシステムの好ましい実施の形態例について、図面を参照して詳述する。ここで、図１は、本発明の一実施例における集合住宅インターホンシステムのシステム構成図、図２は、本発明の一実施例における集合玄関機のブロック図を示している。
【００１５】
図１において、本発明の集合住宅インターホンシステムは、集合玄関に設置される集合玄関機１、接触カードリーダ装置、非接触カードリーダ装置若しくは指紋読取装置等から成る個人認証装置２およびオートドア３と、管理人等の共用部に設置されるインターホン制御機４、接触カード制御機、非接触カード制御機若しくは指紋読取制御機等から成る認証制御機５およびオートドア制御機６と、各居室に設置される居室親機７ａ、７ｂ、・・・および防犯センサ７１ａ、７１ｂ、・・・と、管理室に設置される管理室親機８および管理用パーソナルコンピュータ９とを備えている。ここで、インターホン制御機４は、第１の伝送路Ｌ１を介して集合玄関機１に、第２の伝送路Ｌ２を介して各居室親機７ａ、７ｂ、・・・に、第３の伝送路Ｌ３を介して認証制御機５に、第４の伝送路Ｌ４を介して管理室親機８に、第８の伝送路Ｌ８を介して管理用パーソナルコンピュータ９にそれぞれ接続され、各居室親機７ａ、７ｂ、・・・にはそれぞれ対応する防犯センサ７１ａ、７１ｂ、・・・が接続されている。また、認証制御機５は、第５の伝送路Ｌ５を介して個人認証装置２に、第６の伝送路Ｌ６を介してオートドア制御機６にそれぞれ接続され、オートドア制御機６には第７の伝送路Ｌ７を介してオートドア３が接続されている。なお、管理室には管理室親機８、管理用パーソナルコンピュータ９の何れか一方のみを設置してもよい。
【００１６】
集合玄関機１は、図２に示すように、通話を行なうためのマイクロフォン１１、マイクアンプ１２、スピーカ１３およびスピーカアンプ１４と、居室呼出のためのテンキーボタン１５およびテンキー入力回路１６と、メッセージ表示のためのメッセージ表示ユニット１７および表示ユニット駆動回路１８と、来客を感知するための人体感知センサ１９およびセンサ入力回路２０と、時間帯を管理するためのタイマ回路２１ｂおよび特定メッセージデータを格納するためのメモリ回路２１ａを内蔵するＣＰＵ回路２１と、特定メッセージデータを合成しメッセージ音声信号を出力する音声合成回路２２およびミキシング回路２３と、インターホン制御機４とＣＰＵ回路２１で信号を通信するためのモデム回路２４と、トランシーバ回路２５と、端子Ｐとを備えている。ここで、ＣＰＵ回路２１は、テンキー入力回路１６、表示ユニット駆動回路１８、センサ入力回路２０、音声合成回路２２およびモデム回路２４に接続され、テンキー入力回路１６にはテンキーボタン１５が、表示ユニット駆動回路１８にはメッセージ表示ユニット１７が、センサ入力回路２０には人体感知センサ１９が、音声合成回路２２にはミキシング回路２３が、モデム回路２４にはトランシーバ回路２５がそれぞれ接続されている。また、トランシーバ回路２５は、マイクアンプ１２、ミキシング回路２３および端子Ｐに接続され、マイクアンプ１２にはマイクロフォン１１が、ミキシング回路２３にはスピーカアンプ１４を介してスピーカ１３が、端子Ｐには第１の伝送路Ｌ１がそれぞれ接続されている。
【００１７】
次に、このように構成された本発明の集合住宅インターホンシステムの動作について説明する。なお、集合玄関機１の有する通話機能と居室親機７ａ、７ｂ、…の有する通話機能との間に、第１の伝送路Ｌ１、インターホン制御機４および第２の伝送路Ｌ２を介して通話路が形成される点、および集合玄関機１で来客が来客先の居室親機７ａ、７ｂ、・・・を呼出し、これに来客先が応答し、その来客を確認して解錠ボタン（不図示）を操作することにより、オートドア３のロックを解除する点は、従来の集合住宅インターホンシステムの動作と同様であることから詳細な説明を省略し、ここでは、来客向けの特定メッセージの設定・解除、来客向けの特定メッセージの表示および住人向けのメッセージの表示等の動作を中心にして説明する。
【００１８】
最初に、来客向けの特定メッセージを設定し、若しくは設定した特定メッセージを解除する場合の動作について説明する。
【００１９】
まず、管理室の管理人や受付係が管理室親機８若しくは管理用パーソナルコンピュータ９に予め搭載されているプログラムを起動し、管理室親機８若しくは管理用パーソナルコンピュータ９のディスプレイ（不図示）に表示されているメッセージの中から一般の来客向けの特定メッセージ（例えば「ただいまオートドアは開いています」）を選択すると共に、特定メッセージを出力する時間帯を選択し、設定ボタン（不図示）を押下すると、特定メッセージおよび時間帯を含有する特定メッセージデータが第４の伝送路Ｌ４、インターホン制御機４、第１の伝送路Ｌ１、集合玄関機１の端子Ｐ、トランシーバ回路２５およびモデム回路２４を介してＣＰＵ回路２１へ伝送される。
【００２０】
かかる特定メッセージデータが、ＣＰＵ回路２１で検出されると、ＣＰＵ回路２１の制御によりメモリ回路２１ａに特定メッセージデータが記録され、これにより、集合玄関機１がスタンバイ状態となる。
【００２１】
これに対して、管理室の管理人や受付係が管理室親機８若しくは管理用パーソナルコンピュータ９に予め搭載されているプログラムを起動し、集合玄関機１の来客向けの特定メッセージの出力を停止する出力停止ボタン（不図示）を操作すると、出力停止信号が前述の特定メッセージデータと同様の経路を経由して集合玄関機１のＣＰＵ回路２１へ伝送される。そして、かかる出力停止信号がＣＰＵ回路２１で検出されると、ＣＰＵ回路２１の制御により、メモリ回路２１ａに記録された特定メッセージデータが解除される。
【００２２】
次に、一般の来客に対して、集合玄関機１のメッセージ表示ユニット１７に特定メッセージを表示させる動作について説明する。
【００２３】
まず、来客が集合玄関機１に接近すると、人体感知センサ１９が動作し人体感知信号がセンサ入力回路２０を介してＣＰＵ回路２１へ伝送される。そして、人体感知信号がＣＰＵ回路２１で検出されると、ＣＰＵ回路２１の制御により表示ユニット駆動回路１８が駆動されると共に、メモリ回路２１ａから人体感知センサ１９が来客を感知した時刻に対応する来客向けの特定メッセージデータが読み出され、かかる特定メッセージデータが表示ユニット駆動回路１８を介してメッセージ表示ユニット１７へ伝送される。
【００２４】
これにより、メッセージ表示ユニット１７に、感知した時刻に対応する来客向けの特定メッセージ、例えば、管理室に受付係やガードマンが居る時間帯に来客があった場合は、「ただいまオートドアは開いています」という特定メッセージが、また、管理室に受付係やガードマンが居ない時間帯に来客があった場合は、「ただいまオートドアは閉じています」という特定メッセージが表示される。
【００２５】
ここで、集合玄関機１において、人体感知センサ１９が来客を感知したことを起動信号として予めメモリ回路２１ａに記録された来客向けの特定メッセージデータを音声合成回路２２に出力し、当該音声合成回路２２において音声信号に変換した後、ミキシング回路２３およびスピーカアンプ１４を介してスピーカ１３より、来客を感知した時間帯に対応して、「ただいまオートドアは開いています」という特定メッセージ、若しくは「ただいまオートドアは閉じています」という特定メッセージを音声で一般の来客に対して知らせこともできる。
【００２６】
続いて、住人によるオートドア３の解錠および住人に対して集合玄関機１のメッセージ表示ユニット１７に住人宛のメッセージを表示させる動作について説明する。
【００２７】
まず、各居室の住人は、各住人のＩＤ番号等が記憶されている非接触カード等から成る認証媒体１０を所持している。
【００２８】
今、ある居室の住人、例えば居室親機７ａ（以下「第１の居室親機７ａ」という。）に係る居室（以下「第１の居室」という。）の住人（以下「第１の住人」という。）が、第１の住人が所持する認証媒体（以下「第１の認証媒体」という。）１０を非接触カードリーダ装置等の個人認証装置２に近づけると、個人認証装置２により、第１の認証媒体１０に記録されているＩＤ番号（以下「第１のＩＤ番号」という。）が読み出され、第１のＩＤ番号を含有する認証信号が第５の伝送路Ｌ５を介して認証制御機５へ転送される。
【００２９】
そして、かかる認証信号が認証制御機５で検出されると、認証制御機５の制御により、認証制御機５に内蔵された部屋番号テーブル（不図示）が参照され、第１のＩＤ番号が何れの居室親機７ａ、７ｂ、…の部屋番号に対応しているかの判別がなされる。この実施例では、第１のＩＤ番号は第１の居室の部屋番号に対応している。
【００３０】
このようにして、部屋番号テーブルから第１の居室の部屋番号が割り出されると、認証制御機５から、第１の住人が帰宅した旨の信号（以下「帰宅信号」という。）と解錠制御信号が出力され、前者の帰宅信号は、第３の伝送路Ｌ３を介してインターホン制御機４へ伝送され、後者の解錠制御信号は、第６の伝送路Ｌ６を介してオートドア制御機６へ伝送される。
【００３１】
かかる帰宅信号がインターホン制御機４で検出されると、第１の居室親機７ａの番号を含有する帰宅信号が第２の伝送路Ｌ２を介して第１の居室親機７ａへ伝送される。
【００３２】
これにより、第１の居室親機７ａにおいて、第１の居室親機７ａに係る防犯センサ７１ａの設定状態や防犯警戒等の状態が確認され、例えば「防犯設定中です。異常ありません」という住人向けのメッセージを含有する住人宛メッセージデータが第１の居室親機７ａ、第２の伝送路Ｌ２、インターホン制御機４、集合玄関機１の端子Ｐ、トランシーバ回路２５およびモデム回路２４を介してＣＰＵ回路２１へ伝送される。
【００３３】
そして、かかる住人宛メッセージデータがＣＰＵ回路２１で検出されると、これを起動信号として表示ユニット駆動回路１８が駆動されると共に、住人宛メッセージデータが表示ユニット駆動回路１８を介してメッセージ表示ユニット１７へ伝送される。
【００３４】
これにより、メッセージ表示ユニット１７に、例えば“防犯設定中です。異常ありません”というような住人向けのメッセージが表示される。
【００３５】
ここで、ＣＰＵ回路２１は、住人宛メッセージデータを音声合成回路２２に出力し、当該音声合成回路２２において音声信号に変換した後、ミキシング回路２３およびスピーカアンプ１４を介してスピーカ１３より、例えば“防犯設定中です。異常ありません”というような住人向けのメッセージを音声で第１の住人に対して知らせこともできる。
【００３６】
次に、解錠制御信号がオートドア制御機６で検出されると、当該オートドア制御機６の制御により解錠信号が第７の伝送路Ｌ７を介してオートドア３へ伝送され、これにより、オートドア３が一定時間開けられる。
【００３７】
なお、前述の実施例においては、認証媒体として非接触カードを使用した場合について述べているが、住人の指紋を指紋読取装置等から成る個人認証装置で照合してもよく、また、個人認証装置と集合玄関機とは別体で構成されているが、集合玄関機に個人認証装置を内蔵させてもよい。また、居室親機は２台に限定されず、集合住宅インターホンシステムの規模に応じてその台数を増減してもよい。
【００３８】
【発明の効果】
以上の説明から明らかなように、本発明の集合住宅インターホンシステムによれば、管理室親機または管理用パーソナルコンピュータから入力した特定メッセージデータを集合玄関機のＣＰＵ回路に内蔵させたメモリ回路に記録することができることから、人体感知センサで来客の接近を感知した場合にメッセージ表示ユニットに来客向けの特定メッセージを表示させることができる。
【図面の簡単な説明】
【図１】本発明の集合住宅インターホンシステムのシステム構成図。
【図２】本発明の集合住宅インターホンシステムにおける集合玄関機のブロック図。
【符号の説明】
１…集合玄関機
１１…マイクロフォン
１３…スピーカ
１４…スピーカアンプ
１５…テンキーボタン
１７…メッセージ表示ユニット
１９…人体感知センサ
２１…ＣＰＵ回路
２１ａ…メモリ回路
２１ｂ…タイマ回路
２２…音声合成回路
２３…ミキシング回路
２…個人認証装置
３…オートドア
４…インターホン制御機
５…認証制御機
６…オートドア制御機
７ａ、７ｂ、…居室親機
７１ａ、７１ｂ、…防犯センサ
８…管理室親機
９…管理用パーソナルコンピュータ
１０…認証媒体
【図１】
2004304557.tif 000003
【図２】
2004304557.tif 000004